(57)【要約】【課題】  複数の場所にそれぞれパソコンを配置しなくても、物品の置き忘れの確認をその複数の場所でそれぞれ行えるようにする。【解決手段】  ユーザ２００は、ユーザ番号を記憶したユーザＲＦＩＤタグ５０を身につける。また、ユーザ２００が所有する物品１０，２０には、物品番号を記憶した物品ＲＦＩＤタグ３０，４０が貼り付けられる。ユーザ端末７０は、ユーザ番号と物品番号とを対応づけた忘れ物管理リスト情報を記憶する。ＲＦＩＤリーダ６０は、ユーザが通過するときに各ＲＦＩＤタグ３０，４０，５０から情報を読み取り、読み取った情報を、通信ネットワーク１００を介してユーザ端末７０に送信して忘れ物の有無を判定させる。ユーザ端末７０は、受信した情報と忘れ物管理リスト情報に基づいて忘れ物の有無を判定する。【選択図】  図１
2006171897.tif 000002
【特許請求の範囲】
【請求項１】
物品を持ち出そうとするユーザによって持ち出されるべき物品に付けられて当該物品の物品識別情報を記憶する物品用記憶部材から、前記物品識別情報を読み取るリーダ装置と、
前記リーダ装置と通信ネットワークを介して接続され、前記ユーザが持ち忘れている物品の有無を判定し、前記ユーザが持ち忘れている物品がある場合に当該物品を特定する情報処理装置とを備え、
前記リーダ装置は、
前記ユーザに付けられて当該ユーザのユーザ識別情報を記憶するユーザ用記憶部材から、前記ユーザ識別情報を読み取るユーザ識別情報読み取り手段と、
前記物品用記憶部材から、前記物品識別情報を読み取る物品識別情報読み取り手段と、
前記ユーザ識別情報読み取り手段によって読み取られた前記ユーザ識別情報と、前記物品識別情報読み取り手段によって読み取られた前記物品識別情報とを、通信ネットワークを介して前記情報処理装置に送信する識別情報送信手段と、
前記情報処理装置から、前記ユーザが持ち忘れている物品の情報を受信する忘れ物情報受信手段と、
前記ユーザが持ち忘れている物品の情報を出力する忘れ物情報出力手段とを含み、
前記情報処理装置は、
前記識別情報送信手段から前記ユーザ識別情報と前記物品識別情報とを受信する識別情報受信手段と、
ユーザ識別情報と、当該ユーザ識別情報によって特定されるユーザによって持ち出されるべき物品の物品識別情報とを対応づけた忘れ物管理リスト情報を記憶する記憶手段と、
前記忘れ物管理リスト情報内で、前記識別情報受信手段が受信したユーザ識別情報に対応付けられた物品識別情報のうち、前記識別情報受信手段が受信した物品識別情報に該当しない物品識別情報が存在する場合に、ユーザが持ち忘れている物品があると判定し、前記物品識別情報によりユーザが持ち忘れている物品を特定する判定手段と、
前記ユーザが持ち忘れている物品の情報を、通信ネットワークを介して前記リーダ装置に送信する忘れ物情報送信手段とを含む
ことを特徴とする物品移動管理システム。
【請求項２】
物品識別情報読み取り手段は、物品識別情報とともに物品の所有者であるユーザのユーザ識別情報を記憶する物品用記憶部材から、前記物品識別情報および前記ユーザ識別情報を読み取り、
識別情報送信手段は、前記物品識別情報読み取り手段によって読み取られた前記物品識別情報および前記ユーザ識別情報と、ユーザ識別情報読み取り手段によって読み取られたユーザ識別情報とを情報処理装置に送信し、
識別情報受信手段は、前記物品識別情報読み取り手段によって読み取られた物品識別情報およびユーザ識別情報と、ユーザ識別情報読み取り手段によって読み取られたユーザ識別情報とを受信し、
判定手段は、前記物品識別情報読み取り手段によって読み取られたユーザ識別情報と、前記ユーザ識別情報読み取り手段によって読み取られたユーザ識別情報とが一致していない場合に、ユーザが他のユーザの物品を持ち出そうとしていると判定し、前記前記物品識別情報読み取り手段によって読み取られた物品識別情報により他のユーザの物品を特定し、
忘れ物情報送信手段は、前記他のユーザの物品の情報をリーダ装置に送信する
請求項１に記載の物品移動管理システム。
【請求項３】
ユーザが持ち忘れている物品を探索する探索装置を備え、
前記探索装置は、
ユーザが持ち忘れている物品であると特定された物品の物品識別情報が入力される入力手段と、
ユーザによって向けられた方向に存在する物品用記憶部材から物品識別情報を読み取る探索装置読み取り手段と、
前記探索装置読み取り手段によって読み取られた物品識別情報が、前記入力手段に入力された物品識別情報と一致するときに、探索装置読み取り手段が向けられた方向にユーザが持ち忘れている物品が存在すると通知する通知手段とを含む
請求項１または請求項２に記載の物品移動管理システム。
【請求項４】
探索装置読み取り手段は、物品用記憶部材から受信する信号の強度に応じて、ユーザが持ち忘れている物品までの距離を判定し、
通知手段は、前記距離の情報を通知する
請求項３に記載の物品移動管理システム。
【請求項５】
物品に付けられて当該物品の物品識別情報を記憶する物品用記憶部材から、前記物品識別情報を読み取るリーダ装置と、
前記リーダ装置と通信ネットワークを介して接続され、持ち出し禁止とされている物品が持ち出されようとしているか否かを判定する情報処理装置とを備え、
前記リーダ装置は、
前記物品用記憶部材から、前記物品識別情報を読み取る物品識別情報読み取り手段と、
前記物品識別情報読み取り手段によって読み取られた前記物品識別情報を、通信ネットワークを介して前記情報処理装置に送信する識別情報送信手段と、
前記情報処理装置から、持ち出し禁止とされている物品が持ち出されようとしている旨の情報を受信する警告情報受信手段と、
前記警告情報受信手段が、持ち出し禁止とされている物品が持ち出されようとしている旨の情報を受信したときに、リーダ装置を通過中のユーザに対して警告を出力する警告手段とを含み、
前記情報処理装置は、
前記識別情報送信手段から前記物品識別情報を受信する識別情報受信手段と、
持ち出し禁止とされている物品の物品識別情報を含む持ち出し禁止リスト情報を記憶する記憶手段と、
前記持ち出し禁止リスト情報と、前記識別情報受信手段が受信した物品識別情報とを照合することによって、持ち出し禁止とされている物品が持ち出されようとしているか否かを判定する判定手段と、
持ち出し禁止とされている物品が持ち出されようとしていると判定された場合に、持ち出し禁止とされている物品が持ち出されようとしている旨の情報を前記リーダ装置に送信する警告情報送信手段とを含む
ことを特徴とする物品移動管理システム。
【請求項６】
リーダ装置は、
物品を持ち出そうとするユーザに付けられて当該ユーザのユーザ識別情報を記憶するユーザ用記憶部材から、前記ユーザ識別情報を読み取るユーザ識別情報読み取り手段を含み、
識別情報送信手段は、前記ユーザ識別情報読み取り手段によって読み取られた前記ユーザ識別情報と、物品識別情報読み取り手段によって読み取られた物品識別情報とを、通信ネットワークを介して情報処理装置に送信し、
識別情報受信手段は、前記ユーザ識別情報読み取り手段によって読み取られた前記ユーザ識別情報と、前記物品識別情報読み取り手段によって読み取られた前記物品識別情報とを受信し、
記憶手段は、個々のユーザが持ち出してはならない物品の物品識別情報を各ユーザのユーザ識別情報と対応付けた持ち出し禁止リスト情報を記憶し、
判定手段は、前記持ち出し禁止リスト情報と、前記識別情報受信手段が受信したユーザ識別情報および物品識別情報とを照合することによって、持ち出し禁止とされている物品が持ち出されようとしているか否かを判定する
請求項５に記載の物品移動管理システム。
【請求項７】
物品を持ち出そうとするユーザによって持ち出されるべき物品に付けられて当該物品の物品識別情報を記憶する物品用記憶部材から、前記物品識別情報を読み取るリーダ装置であって、前記ユーザが持ち忘れている物品の有無を判定し、前記ユーザが持ち忘れている物品がある場合に当該物品を特定する情報処理装置と通信ネットワークを介して接続されるリーダ装置において、
前記ユーザに付けられて当該ユーザのユーザ識別情報を記憶するユーザ用記憶部材から、前記ユーザ識別情報を読み取るユーザ識別情報読み取り手段と、
前記物品用記憶部材から、前記物品識別情報を読み取る物品識別情報読み取り手段と、
前記ユーザ識別情報読み取り手段によって読み取られた前記ユーザ識別情報と、前記物品識別情報読み取り手段によって読み取られた前記物品識別情報とを、通信ネットワークを介して前記情報処理装置に送信する識別情報送信手段と、
前記情報処理装置から、前記ユーザが持ち忘れている物品の情報を受信する忘れ物情報受信手段と、
前記ユーザが持ち忘れている物品の情報を出力する忘れ物情報出力手段とを備えた
ことを特徴とするリーダ装置。
【請求項８】
物品を持ち出そうとするユーザによって持ち出されるべき物品に付けられて当該物品の物品識別情報を記憶する物品用記憶部材から、前記物品識別情報を読み取るリーダ装置と通信ネットワークを介して接続され、前記ユーザが持ち忘れている物品の有無を判定し、前記ユーザが持ち忘れている物品がある場合に当該物品を特定する情報処理装置であって、
前記ユーザに付けられて当該ユーザのユーザ識別情報を記憶するユーザ用記憶部材からリーダ装置が読み取った前記ユーザ識別情報と、前記物品用記憶部材からリーダ装置が読み取った前記物品識別情報とを、通信ネットワークを介してリーダ装置から受信する識別情報受信手段と、
ユーザ識別情報と、当該ユーザ識別情報によって特定されるユーザによって持ち出されるべき物品の物品識別情報とを対応づけた忘れ物管理リスト情報を記憶する記憶手段と、
前記忘れ物管理リスト情報内で、前記識別情報受信手段が受信したユーザ識別情報に対応付けられた物品識別情報のうち、前記識別情報受信手段が受信した物品識別情報に該当しない物品識別情報が存在する場合に、ユーザが持ち忘れている物品があると判定し、前記物品識別情報によりユーザが持ち忘れている物品を特定する判定手段と、
前記ユーザが持ち忘れている物品の情報を、通信ネットワークを介して前記リーダ装置に送信する忘れ物情報送信手段とを備えた
ことを特徴とする情報処理装置。
【請求項９】
物品に付けられて当該物品の物品識別情報を記憶する物品用記憶部材から、前記物品識別情報を読み取るリーダ装置であって、持ち出し禁止とされている物品が持ち出されようとしているか否かを判定する情報処理装置と通信ネットワークを介して接続されるリーダ装置において、
前記物品用記憶部材から、前記物品識別情報を読み取る物品識別情報読み取り手段と、
前記物品識別情報読み取り手段によって読み取られた前記物品識別情報を、通信ネットワークを介して前記情報処理装置に送信する識別情報送信手段と、
前記情報処理装置から、持ち出し禁止とされている物品が持ち出されようとしている旨の情報を受信する警告情報受信手段と、
前記警告情報受信手段が、持ち出し禁止とされている物品が持ち出されようとしている旨の情報を受信したときに、リーダ装置を通過中のユーザに対して警告を出力する警告手段とを備えた
ことを特徴とするリーダ装置。
【請求項１０】
物品に付けられて当該物品の物品識別情報を記憶する物品用記憶部材から、前記物品識別情報を読み取るリーダ装置と通信ネットワークを介して接続され、持ち出し禁止とされている物品が持ち出されようとしているか否かを判定する情報処理装置であって、
前記物品用記憶部材からリーダ装置が読み取った前記物品識別情報を、通信ネットワークを介してリーダ装置から受信する識別情報受信手段と、
持ち出し禁止とされている物品の物品識別情報を含む持ち出し禁止リスト情報を記憶する記憶手段と、
前記持ち出し禁止リスト情報と、前記識別情報受信手段が受信した物品識別情報とを照合することによって、持ち出し禁止とされている物品が持ち出されようとしているか否かを判定する判定手段と、
持ち出し禁止とされている物品が持ち出されようとしていると判定された場合に、持ち出し禁止とされている物品が持ち出されようとしている旨の情報を前記リーダ装置に送信する警告情報送信手段とを備えた
ことを特徴とする情報処理装置。
【請求項１１】
情報処理装置が、ユーザ識別情報と、当該ユーザ識別情報によって特定されるユーザによって持ち出されるべき物品の物品識別情報とを対応づけた忘れ物管理リスト情報を記憶し、
リーダ装置が、物品を持ち出そうとするユーザに付けられて当該ユーザのユーザ識別情報を記憶するユーザ用記憶部材から、前記ユーザ識別情報を読み取り、
リーダ装置が、物品を持ち出そうとするユーザによって持ち出されるべき物品に付けられて当該物品の物品識別情報を記憶する物品用記憶部材から、前記物品識別情報を読み取り、
リーダ装置が、前記ユーザ用記憶部材から読み取った前記ユーザ識別情報と、前記物品用記憶部材から読み取った前記物品識別情報とを、通信ネットワークを介して情報処理装置に送信し、
情報処理装置が、リーダ装置から前記ユーザ識別情報と前記物品識別情報とを受信し、
情報処理装置が、前記忘れ物管理リスト情報内で、受信したユーザ識別情報に対応付けられた物品識別情報のうち、受信した物品識別情報に該当しない物品識別情報が存在する場合に、ユーザが持ち忘れている物品があると判定し、前記物品識別情報によりユーザが持ち忘れている物品を特定し、
情報処理装置が、前記ユーザが持ち忘れている物品の情報を、通信ネットワークを介してリーダ装置に送信し、
リーダ装置が、前記ユーザが持ち忘れている物品の情報を受信し、
リーダ装置が、前記ユーザが持ち忘れている物品の情報を出力する
ことを特徴とする物品移動管理方法。
【請求項１２】
情報処理装置が、持ち出し禁止とされている物品の物品識別情報を含む持ち出し禁止リスト情報を記憶し、
リーダ装置が、物品に付けられて当該物品の物品識別情報を記憶する物品用記憶部材から、前記物品識別情報を読み取り、
リーダ装置が、読み取った前記物品識別情報を、通信ネットワークを介して情報処理装置に送信し、
情報処理装置が、リーダ装置から前記物品識別情報を受信し、
情報処理装置が、前記持ち出し禁止リスト情報と、受信した物品識別情報とを照合することによって、持ち出し禁止とされている物品が持ち出されようとしているか否かを判定し、
情報処理装置が、持ち出し禁止とされている物品が持ち出されようとしていると判定された場合に、持ち出し禁止とされている物品が持ち出されようとしている旨の情報をリーダ装置に送信し、
リーダ装置が、持ち出し禁止とされている物品が持ち出されようとしている旨の情報を情報処理装置から受信し、
リーダ装置が、リーダ装置を通過中のユーザに対して警告を出力する
ことを特徴とする物品移動管理方法。
【請求項１３】
物品を持ち出そうとするユーザによって持ち出されるべき物品に付けられて当該物品の物品識別情報を記憶する物品用記憶部材から前記物品識別情報を読み取るリーダ装置と通信ネットワークを介して接続され、前記ユーザに付けられて当該ユーザのユーザ識別情報を記憶するユーザ用記憶部材からリーダ装置が読み取った前記ユーザ識別情報と、前記物品用記憶部材からリーダ装置が読み取った前記物品識別情報とを受信するコンピュータに搭載される物品移動管理プログラムにおいて、
前記コンピュータに、
通信ネットワークを介してリーダ装置から前記ユーザ識別情報と前記物品識別情報とを受信する識別情報受信処理、
ユーザ識別情報と当該ユーザ識別情報によって特定されるユーザによって持ち出されるべき物品の物品識別情報とを対応づけた忘れ物管理リスト情報内で、前記識別情報受信処理で受信したユーザ識別情報に対応付けられた物品識別情報のうち、前記識別情報受信処理で受信した物品識別情報に該当しない物品識別情報が存在する場合に、ユーザが持ち忘れている物品があると判定し、前記物品識別情報によりユーザが持ち忘れている物品を特定する判定処理、および
前記ユーザが持ち忘れている物品の情報を、通信ネットワークを介して前記リーダ装置に送信する忘れ物情報送信処理
を実行させるための物品移動管理プログラム。
【請求項１４】
物品に付けられて当該物品の物品識別情報を記憶する物品用記憶部材から前記物品識別情報を読み取るリーダ装置と通信ネットワークを介して接続され、前記物品用記憶部材からリーダ装置が読み取った前記物品識別情報を受信するコンピュータに搭載される物品移動管理プログラムにおいて、
前記コンピュータに、
通信ネットワークを介してリーダ装置から前記物品識別情報を受信する識別情報受信処理、
持ち出し禁止とされている物品の物品識別情報を含む持ち出し禁止リスト情報と、前記識別情報受信処理で受信した物品識別情報とを照合することによって、持ち出し禁止とされている物品が持ち出されようとしているか否かを判定する判定処理、および
持ち出し禁止とされている物品が持ち出されようとしていると判定された場合に、持ち出し禁止とされている物品が持ち出されようとしている旨の情報を前記リーダ装置に送信する警告情報送信処理
を実行させるための物品移動管理プログラム。
【発明の詳細な説明】
【技術分野】
【０００１】
本発明は、持ち出されるべき物品が持ち出されない状態を検出するか、あるいは、持ち出されてはいけない物品が持ち出されようとしている状態を検出し、その旨の情報を通知する物品移動管理システム、物品移動管理方法、および物品移動管理プログラムに関する。
【背景技術】
【０００２】
持ち出されるべき物品が持ち出されない状態を検出してその旨を報知するシステムとして、例えば、特許文献１に記載された手荷物置き忘れ防止システムがある。特許文献１に記載された手荷物置き忘れ防止システムは、建物の出入り口に設置される。また、特許文献１に記載された手荷物置き忘れ防止システムは、ＩＣタグに書き込まれたデータを読み取る読み取り部と、ユーザがどの手荷物を持つべきかを示す手荷物リストを記憶するパソコン（パーソナルコンピュータ）と、ＬＣＤとを含んでいる。また、ユーザの各手荷物には、各手荷物の識別情報を記憶したＩＣタグが取り付けられている。また、一部の手荷物に取り付けられたＩＣタグは、持ち主識別情報（ユーザの識別情報）も記憶する。ユーザが手荷物を持って建物の出入り口を通過すると、読み取り部は手荷物に取り付けられたＩＣタグから識別情報を読み取る。すると、パソコンは、その識別情報と手荷物リストとを照合して、識別情報が読み取られていない物品の情報をＬＣＤに表示する。この結果、ユーザは、手荷物の置き忘れを防止することができる。なお、特許文献１に記載された技術では、読み取り部で連続して読み取った手荷物は同一の持ち主のものであるとみなして、手荷物に取り付けられるＩＣタグのうち、一部のＩＣタグに持ち主識別情報を記憶させればよいとしている。
【０００３】
また、忘れ物防止システムに関する特許出願として、例えば、特願２００４−１２６７９４号がある。
【０００４】
また、物品に取り付けられたＲＦＩＤ（Radio Frequency Identification）タグを探索することにより、物品を探索する装置が、例えば特許文献２に記載されている。特許文献２に記載された探索装置は、アンテナを備え、そのアンテナがＲＦＩＤタグからのデータを受信すると、そのＲＦＩＤタグが存在する方向をユーザに光で指示する。
【０００５】
また、パーソナルコンピュータ等の資産の持ち出しを管理するシステムに関する特許出願として、例えば、特願２００４−０９５１４１号がある。
【０００６】
【特許文献１】特開２００４−２１３１３０号公報（段落００２７−００７１、図１）
【特許文献２】特開２００２−２７１２２９号公報（段落００２１−００３６、図１）
【発明の開示】
【発明が解決しようとする課題】
【０００７】
特許文献１に記載の技術では、複数の場所で手荷物の置き忘れの確認を行うためには、その複数の場所それぞれにパソコンを配置する必要がある。例えば、自宅の玄関、外出先の建物の出入り口等の複数の場所で手荷物の置き忘れの確認するためには、自宅や外出先の建物それぞれの出入り口にパソコンを配置する必要がある。そのため、複数の場所で手荷物の置き忘れの確認を行う場合、コストが高くなってしまう。また、複数の場所に配置したパソコンにそれぞれ手荷物リストを記憶させなくてはならず、ユーザの負担が大きくなってしまう。
【０００８】
また、特許文献１に記載された技術では、読み取り部で連続して読み取った手荷物は同一の持ち主のものであるとみなしている。しかし、この場合、他人の物品を持ち出してしまうことが可能となってしまう。各人が自分の物品は持ち出せても他人の物品は持ち出せないように管理できるようにすることが好ましい。
【０００９】
また、建物の出入り口等で忘れ物があると分かった場合、その忘れ物が置いてある場所に忘れ物を取りに行けばよい。しかし、忘れ物をどこに置いたのかを忘れてしまっている場合もある。このような場合、その忘れ物を短時間で探せることが好ましい。
【００１０】
また、持ち出されてはいけない物品が持ち出されようとしている状態を検出し、その旨の情報を通知できるようにすることも好ましい。特に簡易な構成で、持ち出されてはいけない物品が持ち出されようとしている状態を検出し、その旨の情報を通知できるようにすることが好ましい。
【００１１】
そこで、本発明は、複数の場所にそれぞれパソコンを配置しなくても、物品の置き忘れの確認をその複数の場所でそれぞれ行えるようにすることを目的とする。また、各人が自分の物品は持ち出せても他人の物品は持ち出せないように管理できるようにすることを目的とする。また、忘れ物があると分かった場合に、その忘れ物を短時間で探せるようにすることを目的とする。また、簡易な構成で、持ち出されてはいけない物品が持ち出されようとしている状態を検出し、その旨の情報を通知できるようにすることを目的とする。
【課題を解決するための手段】
【００１２】
本発明による物品移動管理システムは、物品を持ち出そうとするユーザによって持ち出されるべき物品に付けられて当該物品の物品識別情報を記憶する物品用記憶部材から、物品識別情報を読み取るリーダ装置と、リーダ装置と通信ネットワークを介して接続され、ユーザが持ち忘れている物品の有無を判定し、ユーザが持ち忘れている物品がある場合に当該物品を特定する情報処理装置とを備え、リーダ装置が、ユーザに付けられて当該ユーザのユーザ識別情報を記憶するユーザ用記憶部材から、ユーザ識別情報を読み取るユーザ識別情報読み取り手段と、物品用記憶部材から、物品識別情報を読み取る物品識別情報読み取り手段と、ユーザ識別情報読み取り手段によって読み取られたユーザ識別情報と、物品識別情報読み取り手段によって読み取られた物品識別情報とを、通信ネットワークを介して情報処理装置に送信する識別情報送信手段と、情報処理装置から、ユーザが持ち忘れている物品の情報を受信する忘れ物情報受信手段と、ユーザが持ち忘れている物品の情報を出力する忘れ物情報出力手段とを含み、情報処理装置が、識別情報送信手段からユーザ識別情報と物品識別情報とを受信する識別情報受信手段と、ユーザ識別情報と、当該ユーザ識別情報によって特定されるユーザによって持ち出されるべき物品の物品識別情報とを対応づけた忘れ物管理リスト情報を記憶する記憶手段と、忘れ物管理リスト情報内で、識別情報受信手段が受信したユーザ識別情報に対応付けられた物品識別情報のうち、識別情報受信手段が受信した物品識別情報に該当しない物品識別情報が存在する場合に、ユーザが持ち忘れている物品があると判定し、物品識別情報によりユーザが持ち忘れている物品を特定する判定手段と、ユーザが持ち忘れている物品の情報を、通信ネットワークを介してリーダ装置に送信する忘れ物情報送信手段とを含むことを特徴とする。
【００１３】
物品識別情報読み取り手段が、物品識別情報とともに物品の所有者であるユーザのユーザ識別情報を記憶する物品用記憶部材から、物品識別情報およびユーザ識別情報を読み取り、識別情報送信手段が、物品識別情報読み取り手段によって読み取られた物品識別情報およびユーザ識別情報と、ユーザ識別情報読み取り手段によって読み取られたユーザ識別情報とを情報処理装置に送信し、識別情報受信手段が、物品識別情報読み取り手段によって読み取られた物品識別情報およびユーザ識別情報と、ユーザ識別情報読み取り手段によって読み取られたユーザ識別情報とを受信し、判定手段が、物品識別情報読み取り手段によって読み取られたユーザ識別情報と、ユーザ識別情報読み取り手段によって読み取られたユーザ識別情報とが一致していない場合に、ユーザが他のユーザの物品を持ち出そうとしていると判定し、物品識別情報読み取り手段によって読み取られた物品識別情報により他のユーザの物品を特定し、忘れ物情報送信手段が、他のユーザの物品の情報をリーダ装置に送信する構成であってもよい。そのような構成によれば、各人が自分の物品は持ち出せても他人の物品は持ち出せないように管理できる。
【００１４】
ユーザが持ち忘れている物品を探索する探索装置を備え、探索装置が、ユーザが持ち忘れている物品であると特定された物品の物品識別情報が入力される入力手段と、ユーザによって向けられた方向に存在する物品用記憶部材から物品識別情報を読み取る探索装置読み取り手段と、探索装置読み取り手段によって読み取られた物品識別情報が、入力手段に入力された物品識別情報と一致するときに、探索装置読み取り手段が向けられた方向にユーザが持ち忘れている物品が存在すると通知する通知手段とを含む構成であってもよい。そのような構成によれば、忘れ物があると分かった場合に、その忘れ物を短時間で探すことができる。
【００１５】
探索装置読み取り手段が、物品用記憶部材から受信する信号の強度に応じて、ユーザが持ち忘れている物品までの距離を判定し、通知手段が、距離の情報を通知する構成であってもよい。そのような構成によれば、忘れ物があると分かった場合に、その忘れ物をより短い時間で探すことができる。
【００１６】
また、本発明による物品移動管理システムは、物品に付けられて当該物品の物品識別情報を記憶する物品用記憶部材から、物品識別情報を読み取るリーダ装置と、リーダ装置と通信ネットワークを介して接続され、持ち出し禁止とされている物品が持ち出されようとしているか否かを判定する情報処理装置とを備え、リーダ装置が、物品用記憶部材から、物品識別情報を読み取る物品識別情報読み取り手段と、物品識別情報読み取り手段によって読み取られた物品識別情報を、通信ネットワークを介して情報処理装置に送信する識別情報送信手段と、情報処理装置から、持ち出し禁止とされている物品が持ち出されようとしている旨の情報を受信する警告情報受信手段と、警告情報受信手段が、持ち出し禁止とされている物品が持ち出されようとしている旨の情報を受信したときに、リーダ装置を通過中のユーザに対して警告を出力する警告手段とを含み、情報処理装置が、識別情報送信手段から物品識別情報を受信する識別情報受信手段と、持ち出し禁止とされている物品の物品識別情報を含む持ち出し禁止リスト情報を記憶する記憶手段と、持ち出し禁止リスト情報と、識別情報受信手段が受信した物品識別情報とを照合することによって、持ち出し禁止とされている物品が持ち出されようとしているか否かを判定する判定手段と、持ち出し禁止とされている物品が持ち出されようとしていると判定された場合に、持ち出し禁止とされている物品が持ち出されようとしている旨の情報をリーダ装置に送信する警告情報送信手段とを含むことを特徴とする。
【００１７】
リーダ装置が、物品を持ち出そうとするユーザに付けられて当該ユーザのユーザ識別情報を記憶するユーザ用記憶部材から、ユーザ識別情報を読み取るユーザ識別情報読み取り手段を含み、識別情報送信手段は、ユーザ識別情報読み取り手段によって読み取られたユーザ識別情報と、物品識別情報読み取り手段によって読み取られた物品識別情報とを、通信ネットワークを介して情報処理装置に送信し、識別情報受信手段は、ユーザ識別情報読み取り手段によって読み取られたユーザ識別情報と、物品識別情報読み取り手段によって読み取られた物品識別情報とを受信し、記憶手段は、個々のユーザが持ち出してはならない物品の物品識別情報を各ユーザのユーザ識別情報と対応付けた持ち出し禁止リスト情報を記憶し、判定手段は、持ち出し禁止リスト情報と、識別情報受信手段が受信したユーザ識別情報および物品識別情報とを照合することによって、持ち出し禁止とされている物品が持ち出されようとしているか否かを判定する構成であってもよい。そのような構成によれば、個々のユーザ毎に、持ち出し禁止とされる物品を定めておくことができる。
【００１８】
また、本発明によるリーダ装置は、物品を持ち出そうとするユーザによって持ち出されるべき物品に付けられて当該物品の物品識別情報を記憶する物品用記憶部材から、物品識別情報を読み取るリーダ装置であって、ユーザが持ち忘れている物品の有無を判定し、ユーザが持ち忘れている物品がある場合に当該物品を特定する情報処理装置と通信ネットワークを介して接続されるリーダ装置において、ユーザに付けられて当該ユーザのユーザ識別情報を記憶するユーザ用記憶部材から、ユーザ識別情報を読み取るユーザ識別情報読み取り手段と、物品用記憶部材から、物品識別情報を読み取る物品識別情報読み取り手段と、ユーザ識別情報読み取り手段によって読み取られたユーザ識別情報と、物品識別情報読み取り手段によって読み取られた物品識別情報とを、通信ネットワークを介して情報処理装置に送信する識別情報送信手段と、情報処理装置から、ユーザが持ち忘れている物品の情報を受信する忘れ物情報受信手段と、ユーザが持ち忘れている物品の情報を出力する忘れ物情報出力手段とを備えたことを特徴とする。
【００１９】
また、本発明による情報処理装置は、物品を持ち出そうとするユーザによって持ち出されるべき物品に付けられて当該物品の物品識別情報を記憶する物品用記憶部材から、物品識別情報を読み取るリーダ装置と通信ネットワークを介して接続され、ユーザが持ち忘れている物品の有無を判定し、ユーザが持ち忘れている物品がある場合に当該物品を特定する情報処理装置であって、ユーザに付けられて当該ユーザのユーザ識別情報を記憶するユーザ用記憶部材からリーダ装置が読み取ったユーザ識別情報と、物品用記憶部材からリーダ装置が読み取った物品識別情報とを、通信ネットワークを介してリーダ装置から受信する識別情報受信手段と、ユーザ識別情報と、当該ユーザ識別情報によって特定されるユーザによって持ち出されるべき物品の物品識別情報とを対応づけた忘れ物管理リスト情報を記憶する記憶手段と、忘れ物管理リスト情報内で、識別情報受信手段が受信したユーザ識別情報に対応付けられた物品識別情報のうち、識別情報受信手段が受信した物品識別情報に該当しない物品識別情報が存在する場合に、ユーザが持ち忘れている物品があると判定し、物品識別情報によりユーザが持ち忘れている物品を特定する判定手段と、ユーザが持ち忘れている物品の情報を、通信ネットワークを介してリーダ装置に送信する忘れ物情報送信手段とを備えたことを特徴とする。
【００２０】
また、本発明によるリーダ装置は、物品に付けられて当該物品の物品識別情報を記憶する物品用記憶部材から、物品識別情報を読み取るリーダ装置であって、持ち出し禁止とされている物品が持ち出されようとしているか否かを判定する情報処理装置と通信ネットワークを介して接続されるリーダ装置において、物品用記憶部材から、物品識別情報を読み取る物品識別情報読み取り手段と、物品識別情報読み取り手段によって読み取られた物品識別情報を、通信ネットワークを介して情報処理装置に送信する識別情報送信手段と、情報処理装置から、持ち出し禁止とされている物品が持ち出されようとしている旨の情報を受信する警告情報受信手段と、警告情報受信手段が、持ち出し禁止とされている物品が持ち出されようとしている旨の情報を受信したときに、リーダ装置を通過中のユーザに対して警告を出力する警告手段とを備えたことを特徴とする。
【００２１】
また、本発明による情報処理装置は、物品に付けられて当該物品の物品識別情報を記憶する物品用記憶部材から、物品識別情報を読み取るリーダ装置と通信ネットワークを介して接続され、持ち出し禁止とされている物品が持ち出されようとしているか否かを判定する情報処理装置であって、物品用記憶部材からリーダ装置が読み取った物品識別情報を、通信ネットワークを介してリーダ装置から受信する識別情報受信手段と、
持ち出し禁止とされている物品の物品識別情報を含む持ち出し禁止リスト情報を記憶する記憶手段と、持ち出し禁止リスト情報と、識別情報受信手段が受信した物品識別情報とを照合することによって、持ち出し禁止とされている物品が持ち出されようとしているか否かを判定する判定手段と、持ち出し禁止とされている物品が持ち出されようとしていると判定された場合に、持ち出し禁止とされている物品が持ち出されようとしている旨の情報をリーダ装置に送信する警告情報送信手段とを備えたことを特徴とする。
【００２２】
また、本発明による物品移動管理方法は、情報処理装置が、ユーザ識別情報と、当該ユーザ識別情報によって特定されるユーザによって持ち出されるべき物品の物品識別情報とを対応づけた忘れ物管理リスト情報を記憶し、リーダ装置が、物品を持ち出そうとするユーザに付けられて当該ユーザのユーザ識別情報を記憶するユーザ用記憶部材から、ユーザ識別情報を読み取り、リーダ装置が、物品を持ち出そうとするユーザによって持ち出されるべき物品に付けられて当該物品の物品識別情報を記憶する物品用記憶部材から、物品識別情報を読み取り、リーダ装置が、ユーザ用記憶部材から読み取ったユーザ識別情報と、物品用記憶部材から読み取った物品識別情報とを、通信ネットワークを介して情報処理装置に送信し、情報処理装置が、リーダ装置からユーザ識別情報と物品識別情報とを受信し、情報処理装置が、忘れ物管理リスト情報内で、受信したユーザ識別情報に対応付けられた物品識別情報のうち、受信した物品識別情報に該当しない物品識別情報が存在する場合に、ユーザが持ち忘れている物品があると判定し、物品識別情報によりユーザが持ち忘れている物品を特定し、情報処理装置が、ユーザが持ち忘れている物品の情報を、通信ネットワークを介してリーダ装置に送信し、リーダ装置が、ユーザが持ち忘れている物品の情報を受信し、リーダ装置が、ユーザが持ち忘れている物品の情報を出力することを特徴とする。
【００２３】
また、本発明による物品移動管理方法は、情報処理装置が、持ち出し禁止とされている物品の物品識別情報を含む持ち出し禁止リスト情報を記憶し、リーダ装置が、物品に付けられて当該物品の物品識別情報を記憶する物品用記憶部材から、物品識別情報を読み取り、リーダ装置が、読み取った物品識別情報を、通信ネットワークを介して情報処理装置に送信し、情報処理装置が、リーダ装置から物品識別情報を受信し、情報処理装置が、持ち出し禁止リスト情報と、受信した物品識別情報とを照合することによって、持ち出し禁止とされている物品が持ち出されようとしているか否かを判定し、情報処理装置が、持ち出し禁止とされている物品が持ち出されようとしていると判定された場合に、持ち出し禁止とされている物品が持ち出されようとしている旨の情報をリーダ装置に送信し、リーダ装置が、持ち出し禁止とされている物品が持ち出されようとしている旨の情報を情報処理装置から受信し、リーダ装置が、リーダ装置を通過中のユーザに対して警告を出力することを特徴とする。
【００２４】
また、本発明による物品移動管理プログラムは、物品を持ち出そうとするユーザによって持ち出されるべき物品に付けられて当該物品の物品識別情報を記憶する物品用記憶部材から物品識別情報を読み取るリーダ装置と通信ネットワークを介して接続され、ユーザに付けられて当該ユーザのユーザ識別情報を記憶するユーザ用記憶部材からリーダ装置が読み取ったユーザ識別情報と、物品用記憶部材からリーダ装置が読み取った物品識別情報とを受信するコンピュータに搭載される物品移動管理プログラムにおいて、コンピュータに、通信ネットワークを介してリーダ装置からユーザ識別情報と物品識別情報とを受信する識別情報受信処理、ユーザ識別情報と当該ユーザ識別情報によって特定されるユーザによって持ち出されるべき物品の物品識別情報とを対応づけた忘れ物管理リスト情報内で、識別情報受信処理で受信したユーザ識別情報に対応付けられた物品識別情報のうち、識別情報受信処理で受信した物品識別情報に該当しない物品識別情報が存在する場合に、ユーザが持ち忘れている物品があると判定し、物品識別情報によりユーザが持ち忘れている物品を特定する判定処理、およびユーザが持ち忘れている物品の情報を、通信ネットワークを介してリーダ装置に送信する忘れ物情報送信処理を実行させることを特徴とする。
【００２５】
また、本発明による物品移動管理プログラムは、物品に付けられて当該物品の物品識別情報を記憶する物品用記憶部材から物品識別情報を読み取るリーダ装置と通信ネットワークを介して接続され、物品用記憶部材からリーダ装置が読み取った物品識別情報を受信するコンピュータに搭載される物品移動管理プログラムにおいて、コンピュータに、通信ネットワークを介してリーダ装置から物品識別情報を受信する識別情報受信処理、持ち出し禁止とされている物品の物品識別情報を含む持ち出し禁止リスト情報と、識別情報受信処理で受信した物品識別情報とを照合することによって、持ち出し禁止とされている物品が持ち出されようとしているか否かを判定する判定処理、および持ち出し禁止とされている物品が持ち出されようとしていると判定された場合に、持ち出し禁止とされている物品が持ち出されようとしている旨の情報をリーダ装置に送信する警告情報送信処理を実行させることを特徴とする。
【発明の効果】
【００２６】
本発明によれば、リーダ装置が、ユーザに付けられて当該ユーザのユーザ識別情報を記憶するユーザ用記憶部材から、ユーザ識別情報を読み取るユーザ識別情報読み取り手段と、物品用記憶部材から、物品識別情報を読み取る物品識別情報読み取り手段と、ユーザ識別情報読み取り手段によって読み取られたユーザ識別情報と、物品識別情報読み取り手段によって読み取られた物品識別情報とを、通信ネットワークを介して情報処理装置に送信する識別情報送信手段と、情報処理装置から、ユーザが持ち忘れている物品の情報を受信する忘れ物情報受信手段と、ユーザが持ち忘れている物品の情報を出力する忘れ物情報出力手段とを含み、情報処理装置が、識別情報送信手段からユーザ識別情報と物品識別情報とを受信する識別情報受信手段と、ユーザ識別情報と、当該ユーザ識別情報によって特定されるユーザによって持ち出されるべき物品の物品識別情報とを対応づけた忘れ物管理リスト情報を記憶する記憶手段と、忘れ物管理リスト情報内で、識別情報受信手段が受信したユーザ識別情報に対応付けられた物品識別情報のうち、識別情報受信手段が受信した物品識別情報に該当しない物品識別情報が存在する場合に、ユーザが持ち忘れている物品があると判定し、物品識別情報によりユーザが持ち忘れている物品を特定する判定手段と、ユーザが持ち忘れている物品の情報を、通信ネットワークを介してリーダ装置に送信する忘れ物情報送信手段とを含む構成であるので、複数の場所にそれぞれ情報処理装置を配置しなくても、物品の置き忘れの確認をその複数の場所でそれぞれ行うことができる。
【００２７】
また、本発明によれば、  リーダ装置が、物品用記憶部材から、物品識別情報を読み取る物品識別情報読み取り手段と、物品識別情報読み取り手段によって読み取られた物品識別情報を、通信ネットワークを介して情報処理装置に送信する識別情報送信手段と、情報処理装置から、持ち出し禁止とされている物品が持ち出されようとしている旨の情報を受信する警告情報受信手段と、警告情報受信手段が、持ち出し禁止とされている物品が持ち出されようとしている旨の情報を受信したときに、リーダ装置を通過中のユーザに対して警告を出力する警告手段とを含み、情報処理装置が、識別情報送信手段から物品識別情報を受信する識別情報受信手段と、持ち出し禁止とされている物品の物品識別情報を含む持ち出し禁止リスト情報を記憶する記憶手段と、持ち出し禁止リスト情報と、識別情報受信手段が受信した物品識別情報とを照合することによって、持ち出し禁止とされている物品が持ち出されようとしているか否かを判定する判定手段と、持ち出し禁止とされている物品が持ち出されようとしていると判定された場合に、持ち出し禁止とされている物品が持ち出されようとしている旨の情報をリーダ装置に送信する警告情報送信手段とを含む構成であるので、簡易な構成で、持ち出されてはいけない物品が持ち出されようとしている状態を検出し、その旨の情報を通知することができる。
【発明を実施するための最良の形態】
【００２８】
以下、本発明を実施するための最良の形態を、図面を参照して説明する。
【００２９】
実施の形態１．
図１は、本発明による物品移動管理システムの第１の実施の形態を示すブロック図である。第１の実施の形態における物品移動管理システムは、持ち出されるべき物品が持ち出されない状態を検出し、その旨の情報をユーザに通知する。本実施の形態における物品移動管理システムは、ＲＦＩＤリーダ６０と、ユーザ端末７０と、ＲＦＩＤ探索装置８０とを備える。ＲＦＩＤリーダ６０は、建物（例えば、物品移動管理システムを利用するユーザ２００の自宅や会社等）の出入り口に配置される。ＲＦＩＤリーダ６０とユーザ端末７０とは、例えばインターネット等の通信ネットワーク１００を介して接続される。なお、通信ネットワーク１００は、インターネットに限定されない。
【００３０】
物品移動管理システムを利用するユーザ２００は、ユーザＲＦＩＤタグ５０を自身に貼り付けている。ユーザＲＦＩＤタグ５０は、個々のユーザに対して一意に割り振られたユーザ番号を予め記憶する。
【００３１】
ユーザ２００は、外出時の必需品である物品１０や、今後使用する予定である物品２０等を所持する。外出時の必需品である物品１０や今後使用する予定である物品２０には、それぞれ物品ＲＦＩＤタグ３０や物品ＲＦＩＤタグ４０が貼り付けられている。物品ＲＦＩＤタグ３０，４０は、個々の物品に対して一意に割り振られた物品番号およびその物品の所有者のユーザ番号を予め記憶する。物品ＲＦＩＤタグが貼り付けられる物品が複数のユーザに共用される場合、その物品ＲＦＩＤタグは、物品番号とともに、その複数のユーザのユーザ番号をそれぞれ記憶する。
【００３２】
なお、本実施の形態では、ユーザＲＦＩＤタグ５０や物品ＲＦＩＤタグ３０，４０が番号を記憶する場合を例に説明するが、ユーザＲＦＩＤタグ５０や物品ＲＦＩＤタグ３０，４０が記憶する情報は、番号でなくてもよい。ユーザＲＦＩＤタグ５０は、個々のユーザを識別可能なユーザ識別情報を記憶していればよい。物品ＲＦＩＤタグ３０，４０は、個々の物品を識別可能な物品識別情報と、物品の所有者であるユーザを識別可能なユーザ識別情報とを記憶していればよい。
【００３３】
ＲＦＩＤリーダ６０は、ユーザ２００が建物の出入り口を通過するときに、ユーザＲＦＩＤタグ５０からユーザ番号を読み取る。また、各物品ＲＦＩＤ３０，４０からそれぞれ物品番号およびユーザ番号を読み取る。そして、ＲＦＩＤリーダ６０は、読み取った情報（ユーザ番号や物品番号）をユーザ端末７０に送信し、ユーザ端末７０に忘れ物の有無を判定させる。そして、ユーザ端末７０によって忘れ物があると判定された場合、その忘れ物の情報をユーザに通知する。
【００３４】
ユーザ端末７０は、例えば、パーソナルコンピュータ等の情報処理装置である。ユーザ端末７０は、各ユーザのユーザ番号毎に、ユーザ番号と、ユーザの外出時の必需品である物品１０や、ユーザが今後使用する予定である物品２０等の物品番号とを対応付けた忘れ物管理リスト情報を予め記憶する。そして、ＲＦＩＤリーダ６０から受信したユーザ番号および物品番号と、忘れ物管理リスト情報とを照合して、ユーザが所持していない物品（忘れ物）の有無を判定する。そして、その物品（忘れ物）の情報をＲＦＩＤリーダ６０に送信する。ユーザ端末７０は、忘れ物の情報として、物品番号を送信してもよい。また、忘れ物管理リスト情報内に、物品番号に対応する物品の名称も含めておき、忘れ物と判定された物品の物品番号に対応する物品の名称を、忘れ物の情報としてＲＦＩＤ６０に送信してもよい。ユーザ端末７０からＲＦＩＤリーダ６０に送信された忘れ物の情報は、ＲＦＩＤ６０によってユーザに通知される。
【００３５】
また、ユーザ端末７０は、ユーザのスケジュールを管理するためのスケジューラ（スケジュール管理プログラム）を搭載する。ユーザ端末７０は、スケジューラを起動してスケジューラに従って動作しているときに、ユーザが今後使用する予定である物品の名称、物品番号、およびユーザのユーザ番号が入力されると、入力された情報を対応させてスケジュール情報に登録する。このスケジュール情報に登録された情報も、忘れ物管理リスト情報に該当する。
【００３６】
ＲＦＩＤ探索装置８０には、ユーザ２００が置き忘れた物品の物品番号が入力される。また、ＲＦＩＤ探索装置８０は、ユーザ２００によって所持され、様々な方向に向けられる。このとき、入力された物品番号を物品ＲＦＩＤタグから読み取ると、その旨を通知し、忘れ物が存在する方向等をユーザに知らせる。
【００３７】
図２は、ＲＦＩＤリーダ６０、ユーザ端末７０、およびＲＦＩＤ探索装置８０の構成例を示すブロック図である。
【００３８】
ＲＦＩＤリーダ６０は、読み取り部６１と、表示部６２と、記憶部６３と、制御部６４と、インタフェース部６５と、スピーカ６６とを備える。
【００３９】
読み取り部６１は、電波を送受信できるように、ＲＦＩＤリーダ６０の外部に露出した状態で配置される。読み取り部６１は、電波を送信し、ユーザＲＦＩＤタグ５０や物品ＲＦＩＤタグ３０，４０から送り返される電波を受信する。ユーザＲＦＩＤタグ５０や物品ＲＦＩＤタグ３０，４０は、読み取り部６１から電波を受信すると、記憶している情報（ユーザ番号や物品番号）を電波によって送信する。読み取り部６１は、ユーザＲＦＩＤタグ５０や物品ＲＦＩＤタグ３０，４０から送り返される電波を受信することによって、ユーザＲＦＩＤタグ５０や物品ＲＦＩＤタグ３０，４０からユーザ番号や物品番号を読み取る。
【００４０】
ＲＦＩＤリーダ６０は、図１に示すようにゲート状に構成され、複数箇所に読み取り部６１を備えていてもよい。
【００４１】
制御部６４は、記憶部６３が記憶するプログラムに従って動作し、ＲＦＩＤリーダ６０を制御する。例えば、制御部６４は、プログラムに従って、読み取り部６１にユーザ番号や物品番号を読み取らせたり、そのユーザ番号や物品番号をユーザ端末７０に送信して、ユーザ端末７０に忘れ物の有無の判定を促したり、忘れ物の情報を表示部６２に表示させたりする。また、制御部６４は、忘れ物があると判定された場合に、スピーカ６６に警告音を出力させる。記憶部６３は、プログラムを記憶する。
【００４２】
表示部６２は、例えば、ディスプレイ装置であり、ＲＦＩＤリーダ６０がユーザ端末７０から受信した忘れ物の情報を表示する。
【００４３】
スピーカ６６は、制御部６４に従い、警告音を出力する。
【００４４】
インタフェース部６５は、通信ネットワーク１００とのインタフェースであり、通信ネットワーク１００を介してユーザ端末７０と情報を送受信する。
【００４５】
ユーザ端末７０は、入力部７１と、制御部７２と、インタフェース部７３と、データ通信部７４と、記憶部７５とを備える。
【００４６】
入力部７１は、キーボードやマウス等の入力デバイスであり、忘れ物管理リスト情報が入力される。
【００４７】
制御部７２は、記憶部７５が記憶するプログラムに従って動作し、ユーザ端末７０を制御する。例えば、制御部７２は、プログラムに従って、ＲＦＩＤリーダ６０からユーザ番号や物品番号を受信したり、そのユーザ番号や物品番号および忘れ物管理リスト情報を用いて忘れ物の有無を判定したり、忘れ物の情報をＲＦＩＤリーダ６０に送信したりする。また、制御部７２は、入力部７１に入力された忘れ物管理リスト情報を記憶部７５に記憶させる。記憶部７５は、プログラムおよび忘れ物管理リスト情報を記憶する。
【００４８】
インタフェース部７３は、通信ネットワーク１００とのインタフェースであり、通信ネットワーク１００を介してＲＦＩＤリーダ６０と情報を送受信する。
【００４９】
データ通信部７４は、ＲＦＩＤ探索装置８０との間で情報を送受信するインタフェースである。
【００５０】
ＲＦＩＤ探索装置８０は、操作部８１と、通知部８２と、制御部８３と、読み取り部８４と、データ通信部８５とを備える。
【００５１】
操作部８１は、例えばボタン等によって構成される。また、データ通信部８５は、ユーザ端末７０との間で情報を送受信するインタフェースである。
【００５２】
読み取り部８４は、電波を送受信できるように、ＲＦＩＤ探索装置８０の外部に露出した状態で配置される。読み取り部８４は、電波を送信し、物品ＲＦＩＤタグ３０，４０から送り返される電波を受信する。物品ＲＦＩＤタグ３０，４０は、読み取り部８４から電波を受信すると、記憶している情報のうち、少なくとも物品番号を電波によって送信する。読み取り部８４は、物品ＲＦＩＤタグ３０，４０から送り返される電波を受信することによって、物品ＲＦＩＤタグ３０，４０から物品番号を読み取る。
【００５３】
制御部８３は、ＲＦＩＤ探索装置８０を制御する。制御部８３は、操作部８１が操作されると（例えば、ボタンが押下されると）、データ通信部８５を介して、忘れ物の物品番号をユーザ端末７０に要求し、その物品番号をユーザ端末７０から受信する。また、制御部８３は、ＲＦＩＤ探索装置８０（具体的には、読み取り部８４）が様々な方向に向けられ、ユーザ端末７０から受信した物品番号と同一の物品番号を読み取り部８４が読み取ったときに、その方向等を通知部８２を介して通知する。
【００５４】
通知部８２は、忘れ物の存在位置をユーザに通知する。通知部８２の形態は、例えば、光の点灯により忘れ物の存在方向等を通知する点灯部材であってもよい。あるいは、音の出力により忘れ物の存在方向等を通知するスピーカであってもよい。あるいは、ディスプレイ装置であってもよい。
【００５５】
なお、読み取り部８４は、物品ＲＦＩＤタグ３０，４０から送り返される電波の強度により、忘れ物に貼り付けられた物品ＲＦＩＤタグまでの距離（すなわち、物品までの距離）を判定してもよい。この場合、制御部８２は、通知部８２を介して、忘れ物の存在する方向と距離を通知する。例えば、光の点灯により忘れ物の存在方向等を通知する構成の場合、忘れ物までの距離が近いほど、明るく点灯させる。また、音の出力により忘れ物の存在方向等を通知する構成の場合、忘れ物までの距離が近いほど、大きな音を出力させればよい。また、通知部８２としてディスプレイ装置を用いる場合には、ディスプレイ装置上に忘れ物の方向や距離の遠近を表示すればよい。
【００５６】
また、ユーザ端末７０が備えるデータ通信部７４およびＲＦＩＤ探索装置８０が備えるデータ通信部８５は、例えば、ＵＳＢ（Universal Serial Bus）接続されＵＳＢによりデータを送受信する。
【００５７】
また、図１および図２では、ＲＦＩＤリーダ６０を一台のみ示したが、ＲＦＩＤリーダ６０は複数存在していてもよい。例えば、ユーザ２００の自宅の玄関、ユーザ２００の会社の出入り口、ユーザ２００の外出先の建物の出入り口等にそれぞれＲＦＩＤリーダ６０が設置されていてもよい。各ＲＦＩＤリーダ６０は同様に動作する。
【００５８】
次に、動作について説明する。
ユーザ端末７０は、予め入力部７１を介して忘れ物管理リスト情報を入力され、記憶部７５に忘れ物管理リスト情報を記憶させているものとする。すなわち、ユーザ２００のユーザ番号と、ユーザ２００が所持する物品の物品番号と、その物品の名称とを対応付けて記憶部７５に記憶させているものとする。なお、忘れ物管理リスト情報は、スケジューラが管理するスケジュール情報の一部として登録されてもよい。本例では、外出時の必需品である物品１０の物品番号および名称とユーザ番号との対応関係は、スケジューラに従う動作とは無関係に制御部７２によって記憶部７５に記憶されたものとする。また、今後使用する予定である物品２０の物品番号および名称とユーザ番号との対応関係は、スケジューラに従って動作した制御部７２によってスケジュール情報の一部として記憶部７５に記憶されたものとする。なお、忘れ物管理リスト情報は、少なくとも、ユーザ番号と物品番号との対応関係を示す情報であればよいが、ここでは、ユーザ番号と物品番号と物品の名称との対応関係を示す情報である場合を例にして説明する。
【００５９】
また、記憶部７５が予め記憶している忘れ物管理リスト情報は、一人分のユーザに関する情報だけでなく、複数のユーザに関する情報を含んでいてもよい。すなわち、記憶部７５は、ユーザ２００のユーザ番号に対応させて、ユーザ２００の所持品の物品番号および物品の名称を記憶するだけでなく、他のユーザのユーザ番号に対応させて、そのユーザの所持品の物品番号および物品の名称を記憶していてもよい。また、ある物品が複数のユーザに共用される場合、その物品の物品番号は、複数のユーザのユーザ番号に対応付けられて、記憶部７５に記憶される。
【００６０】
図３は、第１の実施の形態における物品移動管理システムの動作を示すフローチャートである。ここでは、ＲＦＩＤリーダ６０がユーザ２００の自宅の玄関に設置されているものとする。また、ユーザ２００は、物品１０は所持しているが、今後使用する予定である物品２０を置き忘れて外出しようとしているものとする。
【００６１】
ユーザ２００が玄関から外出しようとする際、ユーザＲＦＩＤタグ５０および物品ＲＦＩＤタグ３０（物品１０に貼付されている。）は、ＲＦＩＤリーダ６０のゲートを通過する（ステップＳ１）。このとき、ＲＦＩＤリーダ６０の読み取り部６１は、ユーザＲＦＩＤタグ５０からユーザ番号を読み取る。また、読み取り部６１は、物品ＲＦＩＤタグ３０から物品番号およびユーザ番号を読み取る（ステップＳ２）。
【００６２】
続いて、ＲＦＩＤリーダ６０の制御部６４は、ユーザＲＦＩＤタグ５０から読み取ったユーザ番号と、物品ＲＦＩＤタグ３０から読み取った物品番号およびユーザ番号とを、通信ネットワーク１００を介してユーザ端末７０に送信する（ステップＳ３）。
【００６３】
ユーザ端末７０の制御部７２は、ステップＳ３において送信された情報を受信する（ステップＳ４）。すなわち、ユーザＲＦＩＤタグ５０から読み取られたユーザ番号と、物品ＲＦＩＤタグ３０から読み取られた物品番号およびユーザ番号とを受信する。続いて、制御部７２は、ステップＳ４で受信した情報と、記憶部７５が記憶している忘れ物管理リスト情報とを照合して、忘れ物の有無を判定する（ステップＳ５）。本例では、忘れ物管理リスト情報には、ユーザ２００のユーザ番号に対応する情報として、物品１０の物品番号および名称と、物品２０の物品番号および名称とが含まれている。そして、ＲＦＩＤリーダ６０から受信した情報の中には、ユーザ２００のユーザ番号および物品１０の物品番号は含まれているが、物品２０の物品番号は含まれていない。よって、制御部７２は、忘れ物管理リスト情報に含まれているが、受信した情報に含まれていない物品２０の物品番号を検知し、忘れ物として物品２０があると判定する。なお、ここでは、ステップＳ５の処理の概要について説明したが、ステップＳ５の処理の詳細については、図４を用いて後述する。
【００６４】
ステップＳ５において忘れ物がないと判定された場合、物品移動管理システムは処理を終了し、ユーザ２００は、何ら通知を受けることなく、ＲＦＩＤリーダ６０を通過し、外出する。
【００６５】
ステップＳ５において忘れ物があると判定された場合、ユーザ端末７０の制御部７２は、忘れ物であると判定した物品２０の情報を、通信ネットワーク１００を介してＲＦＩＤリーダ６０に送信する（ステップＳ６）。ステップＳ６において、制御部７２は、物品２０の情報として、例えば、物品２０の物品番号および物品の名称をＲＦＩＤ６０に送信すればよい。また、物品２０の情報として、物品番号のみ、あるいは物品の名称のみを送信してもよい。
【００６６】
ＲＦＩＤリーダ６０の制御部６４は、忘れ物であると判定された物品２０の情報をユーザ端末７０から受信すると、ユーザに忘れ物の情報を通知する（ステップＳ７）。ステップＳ７において、制御部６４は、スピーカ６６から警告音を出力し、ユーザ２００に忘れ物があることを知らせる。また、制御部６４は、ユーザ端末７０から受信した情報、すなわち忘れ物であると判定された物品２０の情報を表示部６２に表示させ、忘れ物がどの物品であるのかをユーザ２００に知らせる。例えば、制御部６４は、物品２０の物品番号や名称を表示部６２に表示させる。
【００６７】
また、ステップＳ５において、ユーザ端末７０の制御部７２は、ユーザ２００が他のユーザの物品を所持しているか否かも判定してもよい。その場合、制御部７２は、ユーザ２００が他のユーザの物品を所持していると判定したならば、ステップＳ６において、その物品の物品番号および名称をＲＦＩＤリーダ６０に送信する。ＲＦＩＤリーダ６０の制御部６４は、この情報を受信すると、スピーカ６６に警告音を出力させ、また、受信した物品番号や名称を表示部６２に表示することにより、他人の物品を持ち出そうとしていることをユーザ２００に通知する。
【００６８】
ステップＳ７の後、ユーザ２００は、ＲＦＩＤ探索装置８０を用いて忘れ物である物品２０を探す（ステップＳ８）。
【００６９】
ステップＳ８において、ＲＦＩＤ探索装置８０のデータ通信部８５と、ユーザ端末７０のデータ通信部７４は、ユーザによって、例えばＵＳＢ接続される。そして、ＲＦＩＤ探索装置８０の操作部８１が操作されると、ＲＦＩＤ探索装置８０の制御部８３は、データ通信部８５を介して、忘れ物であると判定された物品の物品番号をユーザ端末７０に要求する。ユーザ端末７０の制御部７２は、この要求に応じて、ステップＳ５で忘れ物であると判定された物品２０の物品番号を、データ通信部７４を介してＲＦＩＤ探索装置８０に送信する。この後、ＲＦＩＤ探索装置８０とユーザ端末７０の接続状態が解除されてもよい。
【００７０】
続いて、ＲＦＩＤ探索装置８０はユーザに所持され、読み取り部８４を様々な方向に向けられる。読み取り部８４は、電波を送信し、向けられた方向に物品ＲＦＩＤタグが存在していれば、その物品ＲＦＩＤタグから送り返される電波を受信する。そして、読み取り部８４は、この電波を受信することによって、向けられた方向に存在する物品ＲＦＩＤタグから物品番号を読み取る。そして、読み取った物品番号と、ユーザ端末７０から受信した忘れ物の物品番号とが一致していれば、制御部８３は、読み取り部８４が向けられている方向に忘れ物があることを、通知部８２により通知する（ステップＳ９）。
【００７１】
読み取り部８４は、向けられた方向に存在する物品ＲＦＩＤタグから受信した電波の強度により、物品ＲＦＩＤタグまでの距離（すなわち、物品までの距離）を判定してもよい。そして、読み取った物品番号と、ユーザ端末７０から受信した忘れ物の物品番号とが一致している場合、制御部８３は、読み取り部８４が向けられている方向に忘れ物があることおよびその忘れ物までの距離を通知してもよい。
【００７２】
読み取り部８４が、物品ＲＦＩＤタグまでの距離を判定し、その距離の情報も通知することにより、ユーザに忘れ物の位置をより正確に通知して、忘れ物を短時間で探せるようにすることができる。
【００７３】
図４は、第１の実施の形態におけるユーザ端末７０の動作を示すフローチャートである。ユーザ端末７０の制御部７２は、ユーザＲＦＩＤタグ５０から読み取られたユーザ番号と、物品ＲＦＩＤタグ３０から読み取られた物品番号およびユーザ番号とをＲＦＩＤリーダ６０から受信する（ステップＳ２１）。ステップＳ２１の処理は、図３に示すステップＳ４の処理に相当する。  
【００７４】
続いて、制御部７２は、ユーザＲＦＩＤタグ５０から読み取られたユーザ番号に基づいて、忘れ物の有無の判定対象となるユーザを判定する（ステップＳ２２）。
【００７５】
続いて、制御部７２は、忘れ物管理リスト情報のうち、忘れ物の有無の判定対象となるユーザの情報と、物品ＲＦＩＤタグ３０から読み取られた物品番号とを照合して、忘れ物の有無を判定する（ステップＳ２３，Ｓ２４）。ステップＳ２３，Ｓ２４では、制御部７２は、ユーザＲＦＩＤタグ５０から読み取られたユーザ番号に対応する物品番号および物品名称を、忘れ物管理リスト情報から抽出する。そして、抽出した物品番号のうち、物品ＲＦＩＤタグ３０から読み取られた物品番号に該当しない物品番号があれば、忘れ物があると判定し、その物品番号が忘れ物である物品の物品番号であると判定する。また、忘れ物管理リスト情報を参照して、忘れ物である物品の物品番号に対応する物品の名称を特定する。
【００７６】
また、ステップＳ２３，Ｓ２４において、制御部７２は、ユーザ２００が他のユーザの物品を所持しているか否かについても判定してもよい。制御部７２は、一つの物品ＲＦＩＤタグから読み取られたユーザ番号の中に、ユーザＲＦＩＤタグ５０から読み取られたユーザ番号と一致するものがあれば、その物品ＲＦＩＤタグが貼り付けられた物品は他のユーザのものではないと判定する。物品がユーザ２００のみに使用される物品である場合には、その物品に貼り付けられた物品ＲＦＩＤタグから読み取られたユーザ番号は、ユーザＲＦＩＤタグ５０から読み取られたユーザ番号と一致し、その物品は他のユーザのものではないと判定される。また、物品がユーザ２００を含む複数のユーザに共用される物品である場合には、その物品に貼り付けられた物品ＲＦＩＤタグから読み取られる複数のユーザ番号の中に、ユーザＲＦＩＤタグ５０から読み取られたユーザ番号と一致するものが存在し、その物品は共用者以外の他のユーザのものではないと判定される。また、制御部７２は、一つの物品ＲＦＩＤタグから読み取られたユーザ番号の中に、ユーザＲＦＩＤタグ５０から読み取られたユーザ番号と一致するものがなければ、その物品ＲＦＩＤタグが貼り付けられた物品は他のユーザのものであり、ユーザ２００が他のユーザの物品を所持していると判定する。制御部７２は、上記の判定を、個々の物品ＲＦＩＤタグから読み取られた情報毎に行う。また、一つの物品ＲＦＩＤタグから読み取られたユーザ番号の中に、ユーザＲＦＩＤタグ５０から読み取られたユーザ番号と一致するものがない場合、制御部７２は、その物品ＲＦＩＤタグから読み取られた物品番号（すなわち、他のユーザの物品の物品番号）を特定する。また、制御部７２は、忘れ物管理リスト情報を参照して、他のユーザの物品の物品番号に対応する物品の名称を特定する。
【００７７】
ステップＳ２２，Ｓ２３，Ｓ２４の処理は、図３に示すステップＳ５の処理に相当する。
【００７８】
ステップＳ２３，Ｓ２４の後、制御部７２は、ステップＳ２３やステップＳ２４における判定結果を参照する（ステップＳ２５）。忘れ物がなければ（ステップＳ２５におけるＮｏ）、処理を終了する。また、忘れ物があった場合には（ステップＳ２５におけるＹｅｓ）、制御部７２は、忘れ物である物品の情報（忘れ物である物品の物品番号や名称）をＲＦＩＤリーダ６０に送信する（ステップＳ２６）。ステップＳ２５，Ｓ２６の処理は、図３に示すステップＳ６の処理に相当する。以降の動作は、図３に示すステップＳ７以降の動作と同様である。
【００７９】
また、ステップＳ２３，Ｓ２４において、ユーザ２００が他のユーザの物品を所持しているか否かについても判定する場合には、ステップＳ２５において、その判定結果も参照する。ユーザ２００が他のユーザの物品を所持していると判定した場合、制御部７２は、ステップＳ２６において、他のユーザの物品の情報（他のユーザの物品の物品番号や名称）をＲＦＩＤリーダ６０に送信する。この情報を受信したＲＦＩＤリーダ６０の制御部６４は、スピーカ６６から警告音を出力し、表示部６２に、他のユーザの物品の情報（他のユーザの物品の物品番号や名称）を表示する。この結果、ユーザ２００に、他のユーザの物品を持ち出そうとしていることを通知することができ、自分の物品は持ち出せても他人の物品は持ち出せないように管理できる。なお、この場合、忘れ物もなく、かつ、ユーザ２００が他のユーザの物品を所持していないと判定したときに、ステップＳ２５でＮｏと判定され、ステップＳ２６に移行することなく、処理を終了する。
【００８０】
第１の実施の形態によれば、ユーザは、外出時の必需品である物品１０や、今後使用する予定である物品２０を忘れずに所持して外出できる。また、各ＲＦＩＤリーダ６０を複数箇所に設置して、物品の置き忘れの確認を複数の箇所で行えるようにするときに、ＲＦＩＤリーダ６０は、通信ネットワーク１００を介して接続されたユーザ端末７０に忘れ物の有無の判定を行わせ、その結果を表示する。従って、複数の箇所それぞれに、パソコンを配置する必要がなくなる。その結果、複数の場所で手荷物の置き忘れの確認を行う場合のコストを低減することができる。また、ユーザは、ユーザ端末７０に忘れ物管理リスト情報を記憶させればよく、複数の装置に忘れ物管理リスト情報を記憶させる必要がないので、ユーザの負担が大きくならずに済む。
【００８１】
また、ユーザ端末７０の制御部７２が、ユーザ２００が他のユーザの物品を所持しているか否かについても判定し、ユーザ２００が他のユーザの物品を所持していると判定したときに、ＲＦＩＤリーダ６４の制御部がその旨を通知することにより、各人が自分の物品は持ち出せても他人の物品は持ち出せないように管理できる。
【００８２】
また、ＲＦＩＤ探索装置８０の読み取り部８４が、受信する電波の強度により忘れ物までの距離を判定し、その距離の情報を通知することにより、ユーザは、忘れ物の位置を詳しく知ることができ、忘れ物を短時間で探すことができる。
【００８３】
また、ユーザ端末７０は、ＰＤＣ（Personal Digital Cellular ）端末や携帯電話機等の可搬可能な情報処理装置であることが好ましい。その場合、ＲＦＩＤリーダ６０が複数の場所に設置されている場合に、場所毎に、忘れ物管理リストを適宜更新することが容易になり、利便性を高めることができる。
【００８４】
第１の実施の形態において、物品用記憶部材は、物品ＲＦＩＤタグ３０，４０によって実現される。ユーザ用記憶部材は、ユーザＲＦＩＤタグ５０によって実現される。リーダ装置は、ＲＦＩＤリーダ６０によって実現される。ユーザ識別情報読み取り手段および物品識別情報読み取り手段は、読み取り部６１によって実現される。識別情報送信手段および忘れ物情報受信手段は、制御部６４およびインタフェース部６５によって実現される。忘れ物情報出力手段は、制御部６４および表示部６２によって実現される。また、識別情報受信手段および忘れ物情報送信手段は、制御部７２およびインタフェース部７３によって実現される。記憶手段は、記憶部７５によって実現される。判定手段は、制御部７２によって実現される。探索装置は、ＲＦＩＤ探索装置８４によって実現される。入力手段は、データ通信部８５によって実現される。探索装置読み取り手段は、読み取り部８４によって実現される。通知手段は、通知部８２によって実現される。
【００８５】
以上の説明では、ＲＦＩＤ探索装置８０がユーザ端末７０から、忘れ物である物品の物品番号を受信する場合を示したが、ＲＦＩＤ探索装置８０がキーボード等の入力デバイスを備え、その入力デバイスを介してユーザから物品番号を入力される構成であってもよい。
【００８６】
実施の形態２．
第２の実施の形態における物品移動管理システムは、持ち出されてはいけない物品が持ち出されようとしている状態を検出し、その旨の情報を通知する。以下、図１および図２を用いて、第２の実施の形態について説明する。ただし、第２の実施の形態における物品移動管理システムは、図１および図２に示すＲＦＩＤ探索装置８０を含まない。従って、ユーザ端末７０は、データ通信部７４（図２参照。）を備えていなくてよい。
【００８７】
第２の実施の形態における物品移動管理システムは、ＲＦＩＤリーダ６０と、ユーザ端末７０とを備える。ＲＦＩＤリーダ６０とユーザ端末７０とは、例えばインターネット等の通信ネットワーク１００を介して接続される。
【００８８】
ユーザ２００に貼り付けられるユーザＲＦＩＤタグ５０は、第１の実施の形態におけるユーザＲＦＩＤタグ５０と同様である。また、持ち出し禁止とされる物品１０，２０には、それぞれ、個々の物品に対して一意に割り振られた物品番号を記憶する物品ＲＦＩＤタグ３０，４０が貼り付けられている。なお、第２の実施の形態では、物品ＲＦＩＤタグ３０，４０は、ユーザ番号を記憶していなくてよい。
【００８９】
ＲＦＩＤリーダ６０は、ユーザ２００が建物の出入り口を通過するときに、ユーザＲＦＩＤタグ５０からユーザ番号を読み取る。また、各物品ＲＦＩＤ３０，４０からそれぞれ物品番号を読み取る。そして、ＲＦＩＤリーダ６０は、読み取った情報（ユーザ番号や物品番号）をユーザ端末７０に送信し、持ち出し禁止とされている物品が持ち出されようとしているか否かをユーザ端末７０に判定させる。そして、持ち出し禁止とされている物品が持ち出されようとしていると判定された場合、ユーザ２００に警告を通知する。
【００９０】
ユーザ端末７０は、第１の実施の形態と同様の情報処理装置である。ユーザ端末７０は、各ユーザのユーザ番号毎に、ユーザ番号と、個々のユーザが持ち出してはならない物品の物品番号とを対応付けた情報（以下、持ち出し禁止リスト情報と記す。）を予め記憶する。そして、ＲＦＩＤリーダ６０から受信したユーザ番号および物品番号と、持ち出し禁止リスト情報とを照合して、ユーザが持ち出し禁止とされている物品を持ち出そうとしているか否かを判定する。ユーザが持ち出し禁止とされている物品を持ち出そうとしていると判定した場合には、その旨の情報をＲＦＩＤリーダ６０に送信する。ＲＦＩＤリーダ６０は、この情報を受信することにより、ユーザ２００に警告を通知する。
【００９１】
本実施の形態では、ＲＦＩＤリーダ６０は、読み取り部６１と、記憶部６３と、制御部６４と、インタフェース部６５と、スピーカ６６とを備える。図２に示す表示部６２については、備えていなくてもよい。
【００９２】
読み取り部６１は、第１の実施の形態と同様に、ユーザＲＦＩＤタグ５０からユーザ番号を読み取る。また、物品ＲＦＩＤタグ３０，４０から物品番号を読み取る。
【００９３】
制御部６４は、記憶部６３が記憶するプログラムに従って動作し、ＲＦＩＤリーダ６０を制御する。本実施の形態では、制御部６４は、プログラムに従って、例えば、読み取り部６１にユーザ番号や物品番号を読み取らせたり、そのユーザ番号や物品番号をユーザ端末７０に送信して、持ち出し禁止とされている物品が持ち出されようとしているか否かの判定をユーザ端末７０に促したり、スピーカ６６に警告音を出力させたりする。
【００９４】
スピーカ６６およびインタフェース部６５動作は、第１の実施の形態と同様である。
【００９５】
本実施の形態では、ユーザ端末７０は、入力部７１と、制御部７２と、インタフェース部７３と、記憶部７５とを備える。図２に示すデータ通信部７４については、備えていなくてもよい。
【００９６】
入力部７１は、キーボードやマウス等の入力デバイスであり、持ち出し禁止リスト情報が入力される。
【００９７】
制御部７２は、記憶部７５が記憶するプログラムに従って動作し、ユーザ端末７０を制御する。本実施の形態では、制御部７２は、プログラムに従って、例えば、ＲＦＩＤリーダ６０からユーザ番号や物品番号を受信したり、そのユーザ番号や物品番号および持ち出し禁止リスト情報を用いて持ち出し禁止とされている物品が持ち出されようとしているか否かを判定したり、そのような物品が持ち出されようとしている旨の情報をＲＦＩＤリーダ６０に送信したりする。また、制御部７２は、入力部７１に入力された持ち出し禁止リスト情報を記憶部７５に記憶させる。記憶部７５は、プログラム持ち出し禁止リスト情報を記憶する。
【００９８】
インタフェース部７３動作は、第１の実施の形態と同様である。
【００９９】
また、本実施の形態においても、ＲＦＩＤリーダ６０は、複数存在していてもよい。各ＲＦＩＤリーダ６０は同様に動作する。
【０１００】
次に、動作について説明する。
図５は、第２の実施の形態における物品移動管理システムの動作を示すフローチャートである。ここでは、ＲＦＩＤリーダ６０がユーザ２００の会社の出入り口に設置されているものとする。また、物品１０は、ユーザ２００によって持ち出されはいけない物品であるものとする。また、ユーザ端末７０は、予め入力部７１を介して持ち出し禁止リスト情報を入力され、記憶部７５に持ち出し禁止リスト情報を記憶させているものとする。本例では、ユーザ２００のユーザ番号と物品１０の物品番号とを対応付けた情報が持ち出し禁止リスト情報に含まれているものとする。以下、ユーザ２００が物品１０を持って社外にでようとしている場合を例に説明する。
【０１０１】
ユーザ２００が会社から外出しようとする際、ユーザＲＦＩＤタグ５０および物品ＲＦＩＤタグ３０（物品１０に貼付されている。）は、ＲＦＩＤリーダ６０のゲートを通過する（ステップＳ３１）。このとき、ＲＦＩＤリーダ６０の読み取り部６１は、ユーザＲＦＩＤタグ５０からユーザ番号を読み取る。また、読み取り部６１は、物品ＲＦＩＤタグ３０から物品番号を読み取る（ステップＳ３２）。
【０１０２】
続いて、ＲＦＩＤリーダ６０の制御部６４は、ユーザＲＦＩＤタグ５０から読み取ったユーザ番号と、物品ＲＦＩＤタグ３０から読み取った物品番号とを、通信ネットワーク１００を介してユーザ端末７０に送信する（ステップＳ３３）。
【０１０３】
ユーザ端末７０の制御部７２は、ステップＳ３３において送信された情報を受信する（ステップＳ３４）。すなわち、ユーザＲＦＩＤタグ５０から読み取られたユーザ番号と、物品ＲＦＩＤタグ３０から読み取られた物品番号とを受信する。続いて、制御部７２は、ステップＳ３４で受信した情報と、記憶部７５が記憶している持ち出し禁止リスト情報とを照合して、持ち出し禁止とされている物品が持ち出されようとしているか否かを判定する（ステップＳ３５）。本例では、持ち出し禁止リスト情報において、ユーザ２００のユーザ番号と、物品１０の物品番号とが対応付けられている。そして、ＲＦＩＤリーダ６０から受信した情報は、ユーザ２００のユーザ番号および物品１０の物品番号である。よって、ＲＦＩＤリーダ６０から受信した情報が、持ち出し禁止リスト情報に含まれている情報と一致するので、ユーザ２００が持ち出してはならない物品１０を持ち出そうとしていると判定する。なお、ここではステップＳ３５の処理の概要について説明したが、ステップＳ３５の処理の詳細については、図６を用いて後述する。
【０１０４】
ステップＳ３５において、ユーザ２００が持ち出し禁止とされた物品を持ち出そうとしていないと判定された場合、物品移動管理システムは処理を終了し、ユーザ２００は、何ら通知を受けることなく、ＲＦＩＤリーダ６０を通過し、外出する。
【０１０５】
ステップＳ３５において、ユーザ２００が持ち出し禁止とされた物品を持ち出そうとしていると判定された場合、制御部７２は、持ち出し禁止とされている物品が持ち出されようとしている旨の情報をＲＦＩＤリーダ６０に送信する（ステップＳ３６）。ＲＦＩＤリーダ６０の制御部６４は、持ち出し禁止とされている物品が持ち出されようとしている旨の情報を受信すると、スピーカ６６から警告音を出力することにより、ユーザ２００に警告を通知する。
【０１０６】
図６は、第２の実施の形態におけるユーザ端末７０の動作を示すフローチャートである。ユーザ端末７０の制御部７２は、ユーザＲＦＩＤタグ５０から読み取られたユーザ番号と、物品ＲＦＩＤタグ３０から読み取られた物品番号とをＲＦＩＤリーダ６０から受信する（ステップＳ４１）。ステップＳ４１の処理は、図５に示すステップＳ３４の処理に相当する。
【０１０７】
続いて、制御部７２は、ユーザ２００が持ち出し禁止とされている物品を持ち出そうとしているか否かを判定する（ステップＳ４２）。ステップＳ４２では、制御部７２は、ＲＦＩＤリーダ６０から受信したユーザ番号と物品番号とが、持ち出し禁止リスト情報において対応付けられているか否かにより判定を行う。すなわち、制御部７２は、以下のように判定を行う。受信したユーザ番号と物品番号とが、持ち出し禁止リスト情報において対応付けられていなければ、受信したユーザ番号によって特定されるユーザは、受信した物品番号によって特定される物品を持ち出してよいと判定する。また、受信したユーザ番号と物品番号とが、持ち出し禁止リスト情報において対応付けられているならば、受信したユーザ番号によって特定されるユーザは、受信した物品番号によって特定される物品を持ち出してはならず、そのユーザが持ち出し禁止とされている物品を持ち出そうとしていると判定する。このステップＳ４２の処理は、図５に示すステップＳ３５の処理に相当する。
【０１０８】
ユーザが持ち出し禁止とされている物品を持ち出そうとしていないと判定した場合（ステップＳ４２におけるＮｏ）、処理を終了する。また、ユーザが持ち出し禁止とされている物品を持ち出そうとしていると判定した場合（ステップＳ４２におけるＹｅｓ）、制御部７２は、持ち出し禁止とされている物品が持ち出されようとしている旨の情報をＲＦＩＤリーダ６０に送信する（ステップＳ４２）。ステップＳ４２の処理は、図５に示すステップＳ３６に相当する。ステップＳ４２の後、ＲＦＩＤリーダ６０は、図５に示すステップ３７の処理を行う。
【０１０９】
以上の説明では、ステップＳ３７においてＲＦＩＤ６０の制御部６４がスピーカ６６から警告音を出力する場合を示した。ＲＦＩＤリーダ６０は、第１の実施の形態と同様に、表示部６２を備え、持ち出し禁止とされている物品の情報を表示部６２に表示させてもよい。この場合、ユーザ端末７２は、図５に示すステップＳ３６において、持ち出し禁止とされている物品であってユーザが持ち出そうとしている物品の情報をＲＦＩＤリーダ６０に送信し、ＲＦＩＤリーダ６０の制御部６２は、その物品の情報を表示部６２に表示させればよい。持ち出し禁止とされている物品の情報として、例えば、物品番号や物品の名称等を表示させればよい。物品の名称を表示させる場合には、持ち出し禁止リスト情報において、物品番号と物品の名称とを対応付けておき、制御部７２が持ち出し禁止とされている物品の物品番号から物品の名称を特定して、ＲＦＩＤリーダ６０に送信できるようにしておけばよい。
【０１１０】
また、以上の説明では、「ユーザ２００は、物品１０を持ち出してはならない。」等のように、個々のユーザ毎に、持ち出し禁止とされる物品を定めておく場合を示した。ユーザ毎に持ち出し禁止とされる物品を定めるのではなく、ユーザが誰であるかによらずに、持ち出し禁止とされる物品を定めてもよい。この場合、ユーザ端末７０の記憶部７５は、持ち出し禁止リスト情報として、持ち出し禁止とされる物品の物品番号を記憶しておけばよい。また、ＲＦＩＤリーダ６０の読み取り部６１は、物品ＲＦＩＤタグから物品番号を読み取って、その物品番号をユーザ端末７０に送信すればよい。従って、ユーザ２００は、ユーザＲＦＩＤタグ５０を身につけていなくてもよい。また、ユーザ端末７０の制御部７２は、図５に示すステップＳ３５（図６に示すステップＳ４２）において、ＲＦＩＤリーダ６０から受信した物品番号が、持ち出し禁止リスト情報に含まれているか否かによって、持ち出し禁止とされている物品が持ち出されようとしているか否かを判定すればよい。すなわち、受信した物品番号が持ち出し禁止リスト情報に含まれているならば、持ち出し禁止とされている物品が持ち出されようとしていると判定すればよい。また、受信した物品番号が持ち出し禁止リスト情報に含まれていなければ、持ち出し禁止とされている物品が持ち出されようとしていないと判定すればよい。
【０１１１】
第２の実施の形態によれば、ＲＦＩＤリーダ６０とユーザ端末７０とを備えた簡易な構成で、持ち出されてはいけない物品が持ち出されようとしている状態を検出し、その旨の情報を通知できる。
【０１１２】
第２の実施の形態において、物品用記憶部材は、物品ＲＦＩＤタグ３０，４０によって実現される。ユーザ用記憶部材は、ユーザＲＦＩＤタグ５０によって実現される。リーダ装置は、ＲＦＩＤリーダ６０によって実現される。物品識別情報読み取り手段およびユーザ識別情報読み取り手段は、読み取り部６１によって実現される。識別情報送信手段および警告情報受信手段は、制御部６４およびインタフェース部６５によって実現される。警告手段は、制御部６４およびスピーカ６６によって実現される。識別情報受信手段および警告情報送信手段は、制御部７２およびインタフェース部７３によって実現される。記憶手段は、記憶部７５によって実現される。判定手段は、制御部７２によって実現される。
【産業上の利用可能性】
【０１１３】
本発明は、外出する際に忘れ物の有無を確認する忘れ物確認システムや、持ち出し禁止とされている物品が持ち出されようとしているか否かを確認する持ち出し管理システムとして利用することができる。
【図面の簡単な説明】
【０１１４】
【図１】本発明による物品移動管理システムの第１の実施の形態を示すブロック図である。
【図２】ＲＦＩＤリーダ、ユーザ端末、およびＲＦＩＤ探索装置の構成例を示すブロック図である。
【図３】第１の実施の形態における物品移動管理システムの動作を示すフローチャートである。
【図４】第１の実施の形態におけるユーザ端末の動作を示すフローチャートである。
【図５】第２の実施の形態における物品移動管理システムの動作を示すフローチャートである。
【図６】第２の実施の形態におけるユーザ端末の動作を示すフローチャートである。
【符号の説明】
【０１１５】
１０，２０  物品
３０，４０  物品ＲＦＩＤタグ
５０  ユーザＲＦＩＤタグ
６０  ＲＦＩＤリーダ
７０  ユーザ端末
８０  ＲＦＩＤ探索装置
１００  通信ネットワーク
２００  ユーザ
【図１】
2006171897.tif 000003
【図２】
2006171897.tif 000004
【図３】
2006171897.tif 000005
【図４】
2006171897.tif 000006
【図５】
2006171897.tif 000007
【図６】
2006171897.tif 000008